(57)【特許請求の範囲】
【請求項１】
一般パケット無線サービス（ＧＰＲＳ）システムにおいて提供される他のサービスと平行に位置決定サービスを提供するための電気無線通信システムであって、
移動局（２０）と無線通信して、当該移動局（２０）の位置決定要求（２８５）を受信するサービスを提供するＧＰＲＳサポートノード（３０）と、
位置決定サービストランザクション形式（２３６）と少なくとも１つの追加トランザクション形式（２３２又は２３４）をサポートする、当該ＧＰＲＳノード（３０）と移動局（２０）の接続管理サブレイヤ（２３０）と、
前記サービスを提供しているＧＰＲＳサポートノード（３０）と移動局（２０）とにおける論理リンク制御サブレイヤであって、前記サービスを提供しているＧＰＲＳサポートノード（３０）が、論理リンク制御サブレイヤ（２２５）を使用して、前記サービスを提供しているＧＰＲＳサポートノード（３０）の位置決定サービストランザクション形式（２３６）と前記移動局（２０）の位置決定サービストランザクション形式（２３６）との間の接続を確立して位置決定要求（２８５）を実行する論理リンク制御サブレイヤ（２２５）と、
を具備する電気通信システム。
【請求項２】
さらに、前記サービスを提供しているＧＰＲＳサポートノード（３０）と前記移動局（２０）において無線リンク制御サブレイヤ（２２０）を有し、前記サービスを提供しているＧＰＲＳサポートノード（３０）と前記移動局（２０）の位置決定サービストランザクション形式（２３６）の前記論理リンク制御サブレイヤ（２２５）間の接続が、前記対応する無線リンク制御サブレイヤ（２２０）を使用して確立される請求項１に記載の電気通信システム。
【請求項３】
前記サービスを提供しているＧＰＲＳサポートノード（３０）と移動局（２０）が物理レイヤ（２０５）、データリンクレイヤ（２１０）及びアプリケーションレイヤ（２１５）を有し、前記無線リンク制御サブレイヤ（２２０）、前記接続管理サブレイヤ（２３０）及び前記論理リンク制御サブレイヤ（２２５）が前記アプリケーションレイヤ（２１５）に属する請求項２に記載の電気通信システム。
【請求項４】
前記少なくとも１つの追加トランザクション形式（２３２又は２３４）には、セッション管理トランザクション形式（２３２）とショートメッセージトランザクション形式（２３４）のうちの少なくとも１つが含まれる請求項１に記載の電気通信システム。
【請求項５】
前記移動局（２０）と前記サービスを提供しているＧＰＲＳサポートノード（３０）とは、それぞれの、少なくとも１つの追加トランザクション形式（２３２又は２３４）の間に追加の論理リンク制御（２２５）の接続も有しており、前記位置決定サービストランザクション形式（２３６）と前記少なくとも１つの追加トランザクション形式（２３２又は２３４）とが提供するサービスは、互いに他の障害とならずに同時に提供される請求項１に記載の電気通信システム。
【請求項６】
前記移動局（２０）と前記サービスを提供しているＧＰＲＳサポートノード（３０）における前記論理リンク制御レイヤ（２２５）は、前記移動局（２０）と前記サービスを提供しているＧＰＲＳサポートノード（３０）との対応する位置決定サービストランザクション形式（２３６）の間に前記論理リンク制御（２２５）の接続を確立するための位置決定サービスのサービスアクセス点識別子（２３７）と、前記移動局（２０）とサービスを提供しているＧＰＲＳサポートノード（３０）との対応する少なくとも１つの追加のトランザクション形式（２３２又は２３４）の間に前記追加の論理リンク制御（２２５）の接続を確立するための、追加のサービスアクセス点識別子（２３３又は２３５）を有する請求項５に記載の電気通信システム。
【請求項７】
前記位置決定サービストランザクション形式（２３６）は、前記移動局（２０）と前記サービスを提供しているＧＰＲＳサポートノード（３０）との対応する位置決定サービストランザクション形式（２３６）の間に論理リンク制御（２２５）の接続を確立するための第１のプロトコルディスクリミネータ（２４４）を有し、前記少なくとも１つの追加のトランザクション形式（２３２又は２３４）は、前記移動局（２０）と前記サービスを提供しているＧＰＲＳサポートノード（３０）との前記対応する少なくとも１つの追加のトランザクション形式（２３２又は２３４）の間に追加の論理リンク制御（２２５）の接続を確立するための第２のプロトコルディスクリミネータ（２４０又は２４２）を有する請求項５に記載の電気通信システム。
【請求項８】
前記少なくとも１つの追加のトランザクション形式は、セッション管理トランザクション形式（２３２）であり、前記移動局（２０）と前記サービスを提供しているＧＰＲＳサポートノード（３０）とは、前記移動局（２０）のためのデータ接続を確立するために、前記対応するセッション管理トランザクション形式（２３２）の間に追加の論理リンク制御（２２５）の接続を有し、前記サービスを提供しているＧＰＲＳサポートノード（３０）と前記移動局（２０）の前記対応する位置決定サービストランザクション形式（２３６）の間の論理リンク制御（２２５）の接続は、前記データ接続を邪魔することなく確立される請求項１に記載の電気通信システム。
【請求項９】
前記少なくとも１つの追加のトランザクション形式は、セッション管理トランザクション形式（２３２）とショートメッセージトランザクション形式（２３４）のうちの少なくとも１つを含み、前記位置決定サービストランザクション形式（２３６）は位置決定サービスをサポートし、追加のサービスは前記セッション管理トランザクション形式（２３２）やショートメッセージトランザクション形式（２３４）ではサポートされない請求項１に記載の電気通信システム。
【請求項１０】
一般パケット無線サービス（ＧＰＲＳ）システムにおいて、セッション管理サービスとショートメッセージサービスと平行に位置決定サービスを提供する電気通信システムであって、
移動局（２０）とサービスを提供しているＧＰＲＳサポートノード（３０）とにおける移動局（２０）と無線通信を確立する無線リンク制御サブレイヤ（２２０）であって、前記サービスを提供しているＧＰＲＳサポートノード（３０）と前記移動局（２０）との間でデータ送信を行う無線リンク制御サブレイヤ（２２０）と、
前記サービスを提供しているＧＰＲＳサポートノード（３０）と前記移動局（２０）における接続管理サブレイヤ（２３０）であって、セッション管理トランザクション形式（２３２）、ショートメッセージトランザクション形式（２３４）及び位置決定サービストランザクション形式（２３６）を有する接続管理サブレイヤ（２３０）と、
前記サービスを提供するＧＰＲＳサポートノード（３０）と前記移動局（２０）における論理リンク制御サブレイヤ（２２５）であって、前記サービスを提供しているＧＰＲＳサポートノード（３０）と前記移動局（２０）との、前記セッション管理トランザクション形式（２３２）、ショートメッセージトランザクション形式（２３４）及び位置決定サービストランザクション形式（２３６）との間の接続を、無線リンク制御サブレイヤ（２２０）を使用して平行に提供する論理リンク制御サブレイヤ（２２５）とを有する電気通信システム。
【請求項１１】
さらに、前記サービスを提供しているＧＰＲＳサポートノード（３０）と前記移動局（２０）とが、物理レイヤ（２０５）、データリンクレイヤ（２１０）及びアプリケーションレイヤ（２１５）を有し、前記無線リンク制御サブレイヤ（２２０）、前記接続管理サブレイヤ（２３０）及び前記論理リンク制御サブレイヤ（２２５）とが前記アプリケーションレイヤ（２１５）内にある請求項１０に記載の電気通信システム。
【請求項１２】
前記移動局（２０）と前記サービスを提供しているＧＰＲＳサポートノード（３０）とにおける前記論理リンク制御レイヤ（２２５）は、前記移動局（２０）と前記サービスを提供しているＧＰＲＳサポートノード（３０）との対応する位置決定サービストランザクション形式（２３６）の間に位置決定サービス論理リンク制御（２２５）の接続を確立するための位置決定サービスのサービスアクセス点識別子（２３７）と、前記移動局（２０）と前記サービスを提供しているＧＰＲＳサポートノード（３０）との前記対応するセッション管理トランザクション形式（２３２）の間にセッション管理論理リンク制御（２２５）の接続を確立するためのセッション管理サービスアクセス点識別子（２３３）と、前記移動局（２０）と前記サービスを提供しているＧＰＲＳサポートノード（３０）との前記対応するショートメッセージトランザクション形式（２３４）の間に上記と平行にショートメッセージ論理リンク制御（２２５）の接続を確立するためのショートメッセージサービスアクセス点識別子（２３４）とを有する請求項１０に記載の電気通信システム。
【請求項１３】
前記位置決定サービストランザクション形式（２３６）は、前記移動局（２０）と前記サービスを提供しているＧＰＲＳサポートノード（３０）との前記対応する位置決定サービストランザクション形式（２３６）の間に位置決定サービス論理リンク制御（２２５）の接続を確立するための第１のプロトコルディスクリミネータ（２４４）を有し、前記セッション管理トランザクション形式（２３２）は、前記移動局（２０）と前記サービスを提供しているＧＰＲＳサポートノード（３０）との前記対応するセッション管理トランザクション形式（２３２）の間にセッション管理論理リンク制御（２２５）の接続を確立するための第２プロトコルディスクリミネータ（２４０）を有し、前記ショートメッセージトランザクション形式（２３４）は、前記移動局（２０）と前記サービスを提供しているＧＰＲＳサポートノード（３０）との前記対応するショートメッセージトランザクション形式（２３４）の間にショートメッセージ論理リンク制御（２２５）の接続を確立するための第３プロトコルディスクリミネータ（２４２）を有する請求項１０に記載の電気通信システム。
【請求項１４】
電気通信システムに、一般パケット無線サービス（ＧＰＲＳ）内で提供される他のサービスと平行に位置決定サービスを提供させる方法であって、
移動局（２０）と無線通信を確立してサービスを提供しているＧＰＲＳサポートノード（３０）が前記移動局（２０）に関する位置決定サービス要求（２８５）を受け、前記サービスを提供しているＧＰＲＳサポートノード（３０）と移動局（２０）はそれぞれ、対応する接続管理サブレイヤ（２３０）を有し、各対応する接続管理サブレイヤ（２３０）は位置決定サービストランザクション形式（２３６）と少なくとも１つの追加のトランザクション形式（２３２又は２３４）とを有し、前記サービスを提供しているＧＰＲＳサポートノード（３０）と前記移動局（２０）はそれぞれ、前記対応する接続管理サブレイヤ（２３０）に接続された、対応する論理リンク制御サブレイヤ（２２５）を有しており、
サービスを提供しているＧＰＲＳサポートノード（３０）が、前記サービスを提供しているＧＰＲＳサポートノード（３０）と移動局（２０）との前記位置決定サービストランザクション形式（２３６）の間に、前記位置決定サービス要求（２８５）を実行するために、前記論理リンク制御サブレイヤ（２２５）を使用して、接続を確立することを含む方法。
【請求項１５】
さらに、前記サービスを提供しているＧＰＲＳサポートノード（３０）が、前記サービスを提供しているＧＰＲＳサポートノード（３０）と前記移動局（２０）との前記対応する少なくとも１つの追加のトランザクション形式（２３２又は２３４）の間に追加の論理リンク制御（２２５）の接続を確立し、前記位置決定サービストランザクション形式（２３６）と前記少なくとも１つの追加トランザクション形式（２３２又は２３４）とが提供するサービスは互いに邪魔をせずに平行に提供される請求項１４に記載の方法。
【請求項１６】
前記少なくとも１つの追加のトランザクション形式はセッション管理トランザクション形式（２３２）であり、さらに、
前記サービスを提供しているＧＰＲＳサポートノード（３０）が、サービスを提供しているＧＰＲＳサポートノード（３０）と前記移動局（２０）との前記対応するセッション管理トランザクション形式（２３２）の間に追加の論理リンク制御（２２５）の接続を確立して、位置決定サービス要求（２８５）の実行と平行に前記移動局（２０）に対するデータ接続を確立する過程を含む請求項１４に記載の方法。
【請求項１７】
前記サービスを提供しているＧＰＲＳサポートノード（３０）と前記移動局（２０）との前記位置決定サービストランザクション形式（２３６）の間に前記論理リンク制御（２２５）の接続を確立するステップは、さらに、
前記位置決定サービストランザクション形式（２３６）の前記論理リンク制御レイヤ（２２５）の中に位置決定サービスのサービスアクセス点識別子（２３７）を割り当て、
前記サービスを提供しているＧＰＲＳサポートノード（３０）と前記移動局（２０）との前記位置決定サービストランザクション形式（２３６）の間に、位置決定サービスのサービスアクセス点識別子（２３７）を使用して、前記論理リンク制御（２２５）の接続を確立することを含む請求項１４に記載の方法。
【請求項１８】
前記サービスを提供しているＧＰＲＳサポートノード（３０）と前記移動局（２０）との前記位置決定サービストランザクション形式（２３６）の間に前記論理リンク制御（２２５）の接続を確立する過程は、さらに、
前記位置決定サービストランザクション形式（２３６）に対して位置決定サービスプロトコルディスクリミネータ（２４４）を割り当て、
前記サービスを提供しているＧＰＲＳサポートノード（３０）と前記移動局（２０）との前記位置決定サービストランザクション形式（２３６）の間に、前記位置決定サービスプロトコルディスクリミネータ（２４４）を使用して論理リンク制御（２２５）の接続を確立することを含む請求項１４に記載の方法。
【発明の詳細な説明】
【０００１】
【発明の技術背景】
発明の属する技術分野
本発明は全般的には電気通信システムとセルラーネットワークにおいて移動局の位置決定を行う方法に関し、具体的には、データ通信を取り扱うことができる移動局が既に提供しているサービスと平行して位置特定サービスを提供することに関するものである。
【０００２】
本発明の技術背景と目的
セルラー電気通信は、現在最も急速に発展し、最も需要の大きい電気通信技術である。セルラー通信は、今日、世界中の新規な電話への加入の大きな比率を占めており、その比率は増大しつつある。標準化グループである、ヨーロッパ電気通信標準化学会（ＥＴＳＩ）は、１９８２年に、デジタル移動体セルラー無線システムのための移動体通信グローバルシステム（ＧＳＭ）の仕様を設定した。
【０００３】
図１には、セルラーネットワーク１０のような、それぞれが移動切り替えセンタ（ＭＳＣ）１４と集合ビジター位置記録装置（ＶＬＲ）１６を有する複数の領域１２を含む、ＧＳＭ公衆地上移動体ネットワーク（ＰＬＭＮ）を示す。ＭＳＣ１４は、ＭＳ２０とＰＬＭＮ１０との間の音声と信号情報のために交換回路接続を提供する。ＭＳＣ／ＶＬＲ領域１２は、ＬＡ１８を制御するＭＳＣ／ＶＬＲに対して位置情報を更新せずに移動局（ＭＳ）（端末）が自由に移動することができるＭＳＣ／ＶＬＲ領域１２の一部として定義される複数のロケーション領域（ＬＡ）１８を含む。各ロケーション領域１８は、複数のセル２２に分割されている。移動局（ＭＳ）２０は、たとえば自動車電話やその他の携帯電話のような、移動する加入者がセルラーネットワーク１０と、交互にあるいは有線又は無線の外部加入者ネットワークのユーザと交信するために使用する物理的な装置である。
【０００４】
ＭＳＣ１４は、少なくとも１つの基地無線局（ＢＴＳ）２４と接続された、少なくとも１つの基地局制御装置（ＢＳＣ）２３と交信しており、ＢＴＳは、表示の単純化のために無線タワーで表現した物理的な装置であり、対応するセル２２の無線送受信を提供する。ＢＳＣ２３は、複数のＢＴＳ２４に接続され、ＭＳＣ１４に組み込まれてもあるいは独立したものであっても良いことを理解する必要がある。いずれの場合にも、ＢＳＣ２３とＢＴＳ２４コンポーネントは全体として、一般的に基地局システム（ＢＳＳ）２５と呼ばれる。
【０００５】
図１にさらに示すように、ＰＬＭＮサービスエリア又はセルラーネットワーク１０は、たとえば、ユーザプロファイル、現在の情報の位置、国際移動体加入者識別（ＩＭＳＩ）番号、及びその他の当該ＰＬＭＮ１０に加入している加入者の管理的情報のような加入者情報を維持するデータベースであるホームロケーションレジスタ（ＨＬＲ）２６を含む。ＨＬＲ２６はＭＳＣ１４に組み込まれた所定のＭＳＣ１４と並列的に位置しても良いし、あるいは、複数のＭＳＣ１４に対してサービスを提供しても良いが、この後者の場合を図１に示す。
【０００６】
一般パケット無線サービス（ＧＰＲＳ）アーキテクチャの一部であるサービス提供一般パケット無線サービスサポートノード（ＳＧＳＮ）３０はＭＳＣと接続して、ＭＳ２０から及びＭＳ２０に向けての高速及び低速データのパケットスイッチングを効率的に行う。ＭＳ２０がデータ接続に対応しているとき、例えば、ＭＳ２０がインターネット接続を行って（図示しない）データの授受を行っているとき、データはＭＳ２０からＳＧＳＮ３０に対して送られる。ＳＧＳＮ３０は、データのパケット交換接続を提供する。受信したデータはＳＧＳＮ３０からＭＳ２０に送られる。
【０００７】
セルラーネットワーク１０におけるＭＳ２０の地理的な位置を決定することは広範な適用において最近重要になってきている。例えば、ロケーションサービス（ＬＣＳ）が輸送及びタクシー会社が車両の位置を特定するために使用する可能性がある。さらに、救急車のような緊急呼び出しにおいては、ＭＳ２０の位置は緊急事態のその後にとって極めて重要である。さらに、ＬＣＳは盗難車の位置検出や、料金が低減されるホームゾーンからの呼、マイクロセルのホットスポットの検出、又は、加入者が例えば最も近いガソリンスタンド、レストラン、病院を見つけたい場合の「私はどこにいるのでしょう」というタイプの呼に使用することができる。
【０００８】
ＭＳ２０がＩＭＳＩとＧＰＲＳの両方に収容されている場合、つまり、ＶＬＲ１６とＧＰＲＳ３０の両方に記録されている場合の交換呼び出しと識別は、ＭＳＣ１４に比較して効率が高く容量が大きなＳＧＳＮ３０が、ＭＳＣ１４に代わって行う。同様な理由で、ＩＭＳＩとＧＰＲＳの両方に収容されているＭＳ２０の▲１▼検出は、ＭＳＣ１４ではなくＳＧＳＮ３０によって行うほうが効率的である。
【０００９】
現在は、ＳＧＳＮ３０に登録されたＭＳ２０に位置特定が行われているとき、ＭＳ２０は、常にデータコールの送受信や、ショートメッセージの送受信を行うことができるとは限らない。図２に示したように、１９８２年に国際標準機構（ＩＳＯ）が開発した開放システム相互接続（ＯＳＩ）を使用して、位置決定を実行中のＭＳ２０がＳＧＳＮ３０を使用したそれ以外の活動を行うことができないことは、ＭＳ２０とＳＧＳＮ３０との間の接続が階層化された複数レイヤの機能を見ることによって説明することができる。これらは、ＳＧＳＮ３０とＭＳ２０の両側の、物理レイヤ２０５、データリンクレイヤ２１０とアプリケーションレイヤ２１５である。アプリケーションレイヤ２１５は３つのサブレイヤから構成され、それらは、無線リンク制御（ＲＬＣ）サブレイヤ２２０、論理リンク制御（ＬＬＣ）サブレイヤや２２５、及び、アプリケーションレイヤ２１５の中の最も上位のサブレイヤである接続管理（ＣＭ）サブレイヤ２３０である。
【００１０】
ＣＭプロトコル２３５は２つの別個のトランザクション形式を制御し、それらは、パケットデータプロトコルの起動、変更及び削除を取り扱うセッション管理（ＳＳレイヤ）２３２と、ショートメッセージサービス（ＳＭＳ）メッセージの伝達を取り扱うショートメッセージ取り扱い配達（ＳＭレイヤ）２３４である。これらのトランザクション形式２３２と２３４にはそれぞれ、ＬＬＣサブレイヤ２２５において、サービスアクセスポイント識別子（ＳＡＰＩ）２３３，２３５が割り当てられ、トランザクション形式２３２と２３４とが区別される。あるいは、異なるトランザクション形式２３２と２３４とが供給のＬＬＣ  ＳＡＰＩを使用するときは、移動体加入者は、同一のＬＬＣ接続２２０を使用しても、異なるプロトコルディスクリミネータ（ＰＤ）（図示しない）を使用してトランザクション形式を識別することで２つのＣＭ接続２３０を確立することができる。したがって、必要なら、同時にＳＭＳとデータ接続サービスを提供し、異なるサービスと変更することも可能である。
【００１１】
どのようなトランザクションも別のいかなるトランザクションと平行に確立することができる。しかし、特定のＲＬＣ接続２２０に対して、ＬＬＣ接続２３０は、各トランザクション形式２３２と２３４のそれぞれに対して１度に限り確立することができる。したがって、それぞれのトランザクション形式２３２と２３４について許可されるＬＬＣ接続２３０は１つだけである。このことは、もしＬＣＳが、ＳＳレイヤ又はＳＭレイヤ２３４の一部として定義されるなら、同じトランザクション形式（ＳＳ２２３とＳＭ２３４）に属する２つのＬＣＳトランザクションを同時にさらに１つ提供することは不可能であることを意味する。
【００１２】
したがって、本発明の目的は、ＧＰＲＳアーキテクチャにおいて、データ接続やショートメッセージのような既に実行中のトランザクションと平行に、ＬＣＳトランザクションの実行を可能にすることである。
【００１３】
【発明の要旨】
本発明は、セルラーネットワークに収容されたサービングＧＰＲＳサポートノード（ＳＧＳＮ）に、ショートメッセージの配達やセッション管理動作つまりデータ接続のような既に実行中のトランザクションと平行に、ＧＰＲＳ移動局（ＭＳ）の位置決定サービス（ＬＣＳ）要求を取り扱うことができるような電気通信システムと方法に関するものである。当該新規なＬＣＳトランザクション形式は、ＳＧＳＮ内のＧＰＲＳの接続管理（ＣＭ）サブレイヤとＧＰＲＳ  ＭＳに、その他の提供されているサービスと平行にＬＣＳ要求の取り扱いを導入する。ＬＣＳは、ＳＧＳＮ内のＧＰＲＳの論理リンク制御（ＬＬＣ）サブレイヤとＧＰＲＳ  ＭＳにサービスアクセスポイント識別子（ＳＡＰＩ）を割り当て、他のトランザクションと平行にＬＣＳサービスをサポートすることによって多重化される。別な方法では、異なるＣＭサブレイヤ機能の間で共通のＬＬＣ  ＳＡＰＩが使用されるときは、ＬＣＳ型のトランザクションと平行にＬＣＳトランザクションを取り扱うことができるように、別のプロトコルディスクリミネータ（ＰＤ）を割り当てる必要がある。
【００１４】
本発明を、本発明の重要な実施例を図示した添付の図面を参照しながら詳細に説明する。
【００１５】
【好ましい実施例の詳細な説明】
実施例を参照しながら、本発明の基づく多数の革新的な技術について記載する。しかし、記載した幾つかの実施例は、ここに開示する革新的な技術の非常に多い用途のうちのほんの例示に過ぎないことを理解する必要がある。一般的に、本発明の明細書における記載は、特許請求の範囲に記載された発明を制限するものではない。さらに、記載のうちの幾つかは発明の特徴のうちの幾つかに対応するが、全ての特徴に対応するわけではない。
【００１６】
図３Ａと３Ｂには、一般パケット無線サービス（ＧＰＲＳ）アーキテクチャにおいて位置決定サービス（ＬＣＳ）とショートメッセージの接続又はデータ接続を同時に実行することに関する制約を解消するために、ＧＰＲＳ移動局（ＭＳ）２０とサービングＧＰＲＳサポートノード（ＳＧＳＮ）３０の中のアプリケーションレイヤ２１５の接続管理（ＣＭ）サブレイヤレベル２３０において、ＬＣＳ２３６と称する新規な形式のレイヤが定義されている。ＬＣＳレイヤ２３６とトランザクション形式は、セッション管理（ＳＳ）サブレイヤ２３２及びショートメッセージ（ＳＭ）サブレイヤ２３４と平行である。したがって、同時の同じ移動体加入者が、ＬＣＳトランザクション２３６を、他の既に存在するトランザクションと平行にいつでも実行することができる。
【００１７】
ＭＳ２０とＳＧＳＮ３０との間のように、ＭＳ２０は、エアインターフェース２４０を解して送信するためにデジタルデータのビットストリームへの変換をつかさどるレイヤである無線リンク制御（ＲＬＣ）接続２２０を使用して、ＳＧＳＮ３０との間に複数の論理リンク制御（ＬＬＣ）接続２２５を確立することができる。したがって、同時に複数の通信サービスを提供して、必要なら異なるサービスを変更することが可能である。どのトランザクションも、それ以外のどのようなトランザクションとも同時に確立することができる。しかし、特定のＲＬＣ接続２２０に関しては、各トランザクション形式２３２，２３４，２３６についてＬＬＣ接続２３５は１つだけである。同時に、加入者毎に、トランザクション形式２３２，２３４と２３６毎には、許可されるＬＬＣ接続２２５は１つだけである。
【００１８】
ＭＳ２０は、このようなＬＬＣ接続２２５を、ＭＳ２０トランザクションレイヤ、例えば、ＯＣＳ２３６によって、そのＬＬＣ２２５とＲＬＣ２２０レイヤを通じて要求を送信してＳＧＳＮ３０上のＬＣＳレイヤ２３６とＬＬＣ接続を確立することによって確立する。当該要求は、ＭＳ２０とＳＧＳＮ３０の間のＲＬＣ接続を介して、ＤＴＡＰ信号を使用して送信される。一方、ＳＧＳＮ３０上のトランザクション形式レイヤ２３２，２３４，２３６の方から、ＭＳ２９の対応するトランザクション形式レイヤ２３２，２３４、または２３６に対してＬＬＣ接続２２５を確立することを望むときは、手順は逆になる。
【００１９】
図３Ａに示すように、ＬＬＣ接続２２５は、それぞれのトランザクション形式レイヤ２３２，２３４，２３６に対して、ＬＬＣサブレイヤ２２５の中のサービスアクセスポイント識別子（ＳＡＰＩ）２３３，２３５，２３７を割り当てて、トランザクション形式２３２，２３４と２３６を区別することによって確立することができる。あるいは、図３Ｂに示すように、異なるトランザクション形式２３２，２３４，２３６が共通のＬＬＣ  ＳＡＰＩ２３１を使用しているときは、異なるトランザクション形式２３２，２３４，２３６を区別するための異なるプロトコルディスクリミネータ（ＰＤ）２４０，２４２，２４４を使用することによってＬＬＣ接続２３５が確立される。
【００２０】
新規なＬＣＳレイヤ２３６を使用することによって、ＧＰＲＳに収容され例えばＳＧＳＮ３０に登録された特定のＭＳ２０に関する位置決定要求がＳＧＳＮ３０によって受信されたとき、当該ＭＳ２０の位置決定を、ＭＳ２０がその時点でデータ接続やショートメッセージの送受信を行っているか否かとは無関係に、実行することができる。例えば、図５に示したステップとの関係で記載された図４に示したように、特定のＭＳ２０の位置決定は要求元の位置アプリケーション（ＬＡ）２８０が、位置を決定すべき予定のＭＳ２０に対応する特定の移動局国際加入者識別番号（ＭＳＩＳＤＮ）を特定した位置決定要求２８５を、当該ＬＡ２８０の公衆地上移動局ネットワーク（ＰＬＭＮ）１０ｂ内のゲートウェイ移動体ロケーションセンター（ＧＭＬＣ）に送信することによって開始される（ステップ５００）のが典型的な例である。
【００２１】
ＧＭＬＣ２９０が位置決定要求２８５（ステップ５００）を受信すると、ＧＭＬＣ２９０はルーティング情報要求、例えば、ＭＳ２０が現在位置しているＰＬＭＮ１０ａにサービスを提供しているＳＧＳＮ３０のアドレスとＭＳ２０の位置決定加入情報とを、ＭＳ２０のディレクトリ番号をグローバルタイトルとして使用しているＭＳのホームロケーションレジスタ（ＨＬＲ）２６に送信する。例えば、シグナリングシステム＃７（ＳＳ７）ネットワーク（図示しない）のようなシグナリングネットワークは、ＭＳＩＳＤＮ上でグローバルタイトルの翻訳を実行してＭＳ２０に適切なＨＬＲ２６に対して要求をルートづける。
【００２２】
ＨＬＲ２６は記録をチェックして、ＭＳ２０がＨＬＲ２６に登録されていることを確認し（ステップ５１０）、当該ＭＳ２０のためのルーティング情報が入手できることを確認する（ステップ５１５）。もし、ＭＳ２０がＨＬＲ２６に登録されていないか（ステップ５１０）あるいは、ルーティング情報が入手できなければ（ステップ５１５）、ルーティング情報要求はＨＬＲ２６によって拒絶され（ステップ５２０）、ＧＭＬＣ２９０は拒絶メッセージ２９５を要求元のＬＡ２８０に送信する（ステップ５２５）。しかしながら、ＭＳ２０がＨＬＲ２６に登録されており（ステップ５１０）、ＳＧＳＮ３０のためのルーティング情報が入手できれば（ステップ５１５）、そのルーティング情報、例えば、ＳＧＳＮ３０のアドレス配置加入情報と共に、ＧＭＬＣ２９０に送信される（ステップ５３０）。
【００２３】
ＧＭＬＣ２９０は、例えば、ＨＬＲ２６から送信された位置決定加入情報を確認することによって、ＭＳ２０が位置決定を実行できることを確認し（ステップ５３５）、ＭＳ４００が位置決定を実行させないなら（ステップ５３５）、位置決定要求２８５は拒絶され（ステップ５２０）拒絶のメッセージ２９５がＬＡ２８０に送信される（ステップ５２５）。しかし、ＭＳ２０が位置決定を可能にするなら（ステップ５３５）、ＧＭＬＣ２９０は位置決定要求２８５をＳＧＳＮ３０に送信し（ステップ５４０）ＭＳ２０の位置決定を行う。
【００２４】
通常は、この時点で、ＳＧＳＮ３０が、ＭＳ２０がデータ呼接続又はショートメッセージを送受信していると判断すると、位置決定要求２８５は拒絶される。しかし、図３Ａと３Ｂに示す新規なＬＣＳ例や２３６の場合には、例えば、ＭＳ２０が、例えば、ゲートウエイ一般パケット無線サービスノード（ＧＧＳＮ）２６５を介して例えばインターネットである公衆データネットワーク（ＰＤＮ）とのデータ接続を行っていると、ＳＧＳＮ３０は、ＳＧＳＮ３０とＭＳ２０との間のＳＳ２３２ＬＬＣ接続２２５に加えてＳＧＳＮ３０と位置決定対象であるＭＳ２０との間に、別のＰＤ２４４と２４３を別個に使用するかあるいはＳＡＰＩ２３７と２３３をそれぞれ別々に使用して、ＬＣＳ２３６ＬＬＣ接続２２５を確立して（ステップ５４５）位置決定を可能にする。
【００２５】
位置決定プロセスを完了するために、ＳＧＳＮ３０は位置決定要求２８５を、ＭＳ２０を収容している基地局制御装置（ＢＳＣ）２３に送信する（ステップ５５０）。ＭＳ２０が接続中でなければ、つまり例えばＭＳ２０がアイドルモードであれば、ＳＧＳＮ３０はまず位置決定要求２８５をＢＳＣ２３に送信する前にＭＳ２０を呼び出さなければならない（ステップ５５０）。
【００２６】
要求者とＭＳＣ２３は次にＭＳ２０を収容している基地無線局（ＢＴＳ）２４ａはどれかを決定し、タイミングアドバンス（ＴＡ）値（ＴＡ１）を入手するか、あるいは、可能なら、その他の位置決定データを当該サービスを提供しているＢＴＳ２４ａから入手する。ＴＡの値は、ＢＴＳ２４ａにおいてそのＭＳ２０のために割り当てられた時間スロットにメッセージを受信するためには、ＭＳ２０がどれだけ早めにメッセージを送信しなければならないかに対応するものである。メッセージがＭＳ２０からＢＴＳ２４ａに送信されるとき、ＭＳ２０とＢＴＳ２４ａとの距離に依存する伝播遅延が存在する。ＴＡの値は、ビット周期単位で表現され、各ビットはＭＳ２０とＢＴＳ２４ａとの間の距離５５０ｍに対応して、０から６３ビットの間である。
【００２７】
次に、ＴＡの値は、位置決定ハンドオーバーを実行することによって少なくとも２つの目標ＢＴＳ（２４ｂと２４ｃ）から取得される（ステップ５５５）。サービスを提供しているＢＴＳ２４ａが位置決定をサポートしていなければ、追加的なＢＴＳ（図示しない）を選択する必要がある。ＭＳ２０の位置決定は４つ以上のＢＴＳ（２４ａ、２４ｂ、２４ｃ）を使用して実行することもできることに注意する必要がある。
【００２８】
ＢＴＳ（２４ａ、２４ｂ、２４ｃ）で測定されたＴＡの値（ＴＡ１，ＴＡ２，ＴＡ３）は、サービスを提供しているＢＳＣ２３からＳＧＳＮ３０に送信される（ステップ５６０）。最終的に、ＴＡの値（ＴＡ１，ＴＡ２，ＴＡ３）と位置決定要求２８５はＳＧＳＮ３０からサービスを主提供している移動体▲１▼センター（ＭＬＣ）２７０に送信され（ステップ５６５）、そこで三角法演算を用いてＭＳ２０の位置が決定される（ステップ５７０）。ＭＬＣ２７０は次にＭＳ２０の地理的内地を表す位置情報２７５を要求もとのＬＡ８ノード）２８０に対して、位置決定されたＭＳ２０とインターネット２６０とのデータ接続を中断させることなく送信する。
【００２９】
ここで示したＴＡの値の変わりに、どのようなセルラーシステムに関する、どのような時間、距離、又は角度の推定方法を使用しても良いことを理解しておく必要がある。例えば、ＭＳ２０はグローバル位置決定システム（ＧＰＳ）受信機を内蔵していることができるし、当該受信機をＭＳ２０の位置決定に使用することができる。さらに、ＭＳ２０は、ＢＴＳ２４が信号を発信した時刻とＭＳ２０がその信号を受信した時刻の間の観測時間差（ＯＴＤ）に基づいて位置決定データを集積することもできる。この時間差情報は、ＭＳ２０の位置計算のためにＭＬＣ２７０に送信されても良い。あるいは、ＭＳ２０は、ＢＴＳ２４の位置に関する情報に基づいて、その位置を決定してＭＬＣ２７０に送信することもできる。
【００３０】
位置決定サービス特性のためのレイヤを提供することに加えて、図３Ａと３Ｂとに示した、ＣＭサブレイヤレベル２３０の上に定義される当該新規なＬＣＳレイヤ２３６は、ＣＭサブレイヤ２３０に現在存在するレイヤ２３２と２３４のいずれも有していない特徴を、ネットワーク１０および／またはＭＳ２０に提供するための汎用的なＣＭサブレイヤや２３０として使用することができる。汎用ＳＡＰＩ２３７又は汎用ＰＤ２４４は、汎用２３６レイヤをＳＳ２３３２とＳＭ２３５サブレイヤから区別するために使用することができる。しかし、この場合、もしＬＣＳ例や２３６が特定の加入者のための別の特性のために使用されていれば、同時にその加入者の位置決定を行うことはできない。
【００３１】
当業者には理解できるように、ここに記載した発明の革新的な技術思想は広範囲に適用するために変更することができる。したがって、上述の実施例に基づいて本発明の技術的思想の範囲を定めるべきでなく、添付の特許請求の範囲に基づいて定めるべきである。
【図面の簡単な説明】
【図１】 従来の無線電気通信システムのブロック図である。
【図２】 ＯＳＩ標準に従って複数の機能レイヤが階層化された、移動局とサービング一般パケット無線サービスサポートノードとの間の接続を示すものである。
【図３】 本発明の好ましい実施例に基づく、ＣＭサブレイヤの新規なＬＣＳトランザクション形式の実現状態を示すものである。
【図４】 本発明の好ましい実施例を使用して、移動局の位置決定と移動局へのショートメッセージの配信を同時に行う様子を示したものである。
【図５】 図４に示した処理のステップを示すものである。
【図１】
0005046436.tif 000002
【図２】
0005046436.tif 000003
【図３】
0005046436.tif 000004
0005046436.tif 000005
【図４】
0005046436.tif 000006
【図５】
0005046436.tif 000007